(57)【要約】【課題】祝儀やお年玉などを略式的な形で贈る小形の折りたたみ式熨斗袋として、時期に制約されずに使用可能なものを提供する。【解決手段】包装ベース部１１の左右、下及び上に、それぞれ下半部と上半部の外端部に重ね張出し部１４、１５を有する折重ね包装部１２、１３、折重ね部１６及び招き猫等の常用性の装飾物体の絵像の外輪郭と該絵像を印刷した表面を有しかつ上端部に折止め１７を付設した被覆片１８を連設する。使用時には、包装ベース部１１の背後に、折重ね部１６と左右の折重ね包装部１２、１３を順次折重ね、重ね張出し部１４を折重ね包装部１３の下半部の背後に重ねる一方、重ね張出し部１５を折重ね包装部１２の上半部の背後に重ねて、両折重ね包装部１２、１３の外端部を結合した後、被覆片１７を両折重ね包装部１２、１３上に折重ね、折止め部１８を包装ベース部１１と折重ね包装部１２、１３の外端部の結合部との間に挿入する。【選択図】図１
0003143612.tif 000002
【実用新案登録請求の範囲】
【請求項１】
方形の包装ベース部の左側と右側に、方形状の折重ね包装部を、包装ベース部上に折重ね可能にかつ該折重ね状態において外端部の表裏が上下方向において交互の重ね状態で結合されるように連設し、包装ベース部の上側に、常用性を有する装飾物体の絵像の外輪郭を有するとともに表面に該装飾物体の絵像を印刷しかつ上端部に折重ねた折重ね包装部と包装ベース部の間に挿入可能な折止め部を付設した被覆片を、包装ベース部上に折重ねた折重ね包装部を被覆可能に連設してなる、折りたたみ式熨斗袋。
【請求項２】
包装ベース部の下側に、折重ね部を包装ベース部上に折重ね可能に連設してなる、請求項１記載の折りたたみ式熨斗袋。
【考案の詳細な説明】
【技術分野】
【０００１】
この考案は祝儀やお年玉などを略式的な形で贈るために用いるぽち袋のような小形の折りたたみ式熨斗袋（金封）の改良に関する。
【背景技術】
【０００２】
ぽち袋としては、左右一対の方形の表包装部及び裏包装部を相互に折重ね可能に連設するとともに、表包装部の上側、下側及び左側のそれぞれに方形の折重ね部を、表包装部上に折重ね可能に延設し、かつ裏包装部の右側に、羽子板状の輪郭を有するとともに表面に羽子板の絵模様を印刷した被覆片を連設したものが提案されている（例えば特許文献１参照）。
【０００３】
しかるにこの既提案のぽち袋は、被覆片のデザインの羽子板が正月固有のものであることから、正月以外は使用しにくいという問題がある。
【特許文献１】実用新案登録第３０８０９０２号公報
【考案の開示】
【考案が解決しようとする課題】
【０００４】
この考案は、上記のような既提案のぽち袋に認められる使用時期面における制約の問題に鑑み、時期に制約を受けずに実質上いつでも使用可能な小形の折りたたみ式熨斗袋を提供することを課題としている。
【課題を解決するための手段】
【０００５】
この考案に係る折りたたみ式熨斗袋は、実用新案登録請求の範囲の請求項１に記載のように、方形の包装ベース部の左側と右側に、方形状の折重ね包装部を、包装ベース部上に折重ね可能にかつ該折重ね状態において外端部の表裏が上下方向において交互の重ね状態で結合される（組み付けられる）ように連設し、包装ベース部の上側に、常用性を有する装飾物体の絵像の外輪郭と該装飾物体の絵像を印刷した表面を有するとともに上端部に積重ねた包装ベース部と積重ね包装部との間に挿入可能な折止め部を付設した被覆片を、包装ベース部上に折重ねた折重ね包装部上に折重ね可能に連設した構成からなる。
【０００６】
この考案の熨斗袋を構成する被覆片における常用性を有する装飾物体としては、例えば、縁起物として知られる招き猫、だるま、鯉、梟、地蔵、豆狸、福助や、動物キャラクタとしての犬、猫、蛙、兎、パンダ、熊、りすなどを用いることができる。
【０００７】
またこの考案の熨斗袋における左右の折重ね包装部の外端部の表裏の上下方向における交互の重ね状態の結合は、左右の両折重ね包装部の外端部を、相互に上下方向にずれた重ね張出し部を有する段状（凹凸状）に形成し、各重ね張出し部が他方の積重ね包装部の対向部（重ね張出し部に上又は下において隣接する切欠き状部）の背後（裏）に重なるように該背後側に差し込む形態や、一方の折重ね包装部の外端部に横スリット（横切込み）を形成し、この横スリットに他方の折重ね包装部の外端部を上下方向に表裏をのびるように差し込む形態等で実施することができる。
【０００８】
この考案の熨斗袋においては、請求項２に記載のごとく、包装ベース部の下側に、折重ね部を包装ベース部上に折重ね可能に連設することが望ましい。
【考案の効果】
【０００９】
請求項１に記載のこの考案の折りたたみ式熨斗袋によれば、被覆片が、外輪郭の形状も表面も常用性を有する装飾物体の絵像であるので、使用時期には制約がなく、いつでも使用可能である。
【００１０】
また請求項２に記載の包装ベース部の下側における折重ね部の連設構成によれば、包装空間が閉鎖形になり、包装した紙幣類の外側への飛び出しや外部からの盗み見を防止することができる。
【考案を実施するための最良の形態】
【００１１】
以下図面に基づいて、この考案に係る熨斗袋の好適な実施形態について説明する。
【００１２】
図示した熨斗袋は、特に図１に示すように、方形の包装ベース部１１の左右、下及び上のそれぞれに、折重ね包装部１２、１３、折重ね部１６及び常用性を有する装飾物体の一例としての招き猫の絵像の外輪郭と該絵像を印刷した表面（印刷絵像は図示せず）を有する被覆片１７を連設し、各連設部に線状の折り目（折りたたみ用筋目）を付けた構造からなっている。
【００１３】
折重ね包装部１２、１３は、外端縁の上下方向の中央部が段付きで、それぞれ外端部の下半部と上半部に、包装ベース部１１の横幅の１／２を超えてのびる重ね張出し部１４、１５を備えており、両折重ね包装部１２、１３を包装ベース部１１上に折重ねた際には、これらの重ね張出し部１４、１５のそれぞれが、横幅が包装ベース部１１のそれの１／２に等しい折重ね包装部１３の下半部（切欠き状部）と折重ね包装部１２の上半部（切欠き状部）の外端部の背後部に重なるようになっている。
【００１４】
また折重ね部１６は、折重ね量が小さい封筒の垂れ蓋形に形成されている一方、被覆片１７は、包装ベース部１１のほぼ全体を被覆可能な大きさで、包装ベース部１１の高さに対応する招き猫の絵像の頭部（外輪郭の上端部の幅方向の中央部）には、折り目付きの折止め部１８を備えている。
【００１５】
図示の熨斗袋を使用する際には、例えば、折重ね部１６、折重ね包装部１２、１３を順次包装ベース部１１の背後側に折重ね、折重ね包装部１２の重ね張出し部１４を折重ね包装部１３の下半部の外端部の背後部に重ねる一方、折重ね包装部１３の重ね張出し部１５を折重ね包装部１２の上半部の外端部の背後側に重ねることにより、両折重ね包装部１２、１３の外端部を結合した後（図２参照）、被覆片１７を包装ベース部１１の背後部上の折重ね包装部１２、１３上に折重ねて、そのほぼ全体を被覆し、最後に被覆片１７に付設の折止め部１８を、包装ベース部１１に折重ねた折重ね部１６と折重ね包装部１２、１３の間を通して、包装ベース部１１と折重ね包装部１２、１３の外端部の結合部の間に挿入して、被覆片１７が表面部を占める使用形態にする。
【００１６】
なお折重ね部１６の包装ベース部１１に対する折重ねは、上記のように折りたたみ作業の当初に行わずに、折重ね包装部１２、１３を包装ベース部１１上に折重ねた後や、被覆片１７を折重ね包装部１２、１３上に折重ねた後、或いは折止め部１８を包装ベース部１１と折重ね包装部１２、１３の間に挿入した最後の段階に、包装ベース部１１と折重ね包装部１２、１３の間に折曲げて挿入する形で行うことができる。
【００１７】
この考案に係る熨斗袋は、このほか、折重ね包装部１２の中央部及び折重ね包装部１３の上部と下部に、包装ベース部の横幅の１／２を超える横幅の重ね張出し部を設けるとともに、折重ね包装部１２の上部と下部及び折重ね包装部１３の中央部に、包装ベース部の横幅の１／２に等しい横幅の切欠き状部（凹状部）を設けるなど、種々の形態で実施することができる。
【図面の簡単な説明】
【００１８】
【図１】この考案に係る熨斗袋の好適な実施形態の展開正面図である。
【図２】図１に示す実施形態の折りたたみ途上の部分背面図である。
【符号の説明】
【００１９】
１１  包装ベース部
１２  折重ね包装部
１３  折重ね包装部
１４  重ね張出し部
１５  重ね張出し部
１６  折重ね部
１７  被覆片
１８  折止め部
【図１】
0003143612.tif 000003
【図２】
0003143612.tif 000004